(57)【要約】【課題】優れた防水効果を得ながらも、モジュール側コネクタ部を誤った向きで衣服側コネクタ部に嵌合することを防止することができるコネクタを提供する。【解決手段】衣服側コネクタ部１１のロック部１４は、モジュール側コネクタ本体が所定の向きで衣服側コネクタ部１１のモジュール側コネクタ収容部１２内に収容された場合にのみモジュール側コネクタ部３１の被ロック部３４の位置をロックし、衣服側コネクタ部１１の第１嵌合面Ｐ１に配置された第１コンタクト１３とモジュール側コネクタ部３１の第２嵌合面Ｐ２に配置された第２コンタクト３３とが互いに電気的に接続されてモジュール側コネクタ部３１が衣服側コネクタ部１１に嵌合し、モジュール側コネクタ収容部１２の側壁とモジュール側コネクタ本体の側面との間で第１の防水部材が弾性的に圧縮されて第１嵌合面Ｐ１および第２嵌合面Ｐ２への水の浸入が防止される。【選択図】  図３
2019087515.tif 000002
【特許請求の範囲】
【請求項１】
ウエアラブルデバイスのモジュールを衣服に装着し電気的に接続するためのコネクタであって、
衣服に取り付けられる衣服側コネクタ部と、前記衣服側コネクタ部に嵌合するモジュール側コネクタ部とを備え、
前記衣服側コネクタ部は、第１嵌合面と前記第１嵌合面を囲む側壁とを有する衣服側コネクタ本体と、前記衣服側コネクタ本体の前記第１嵌合面に配置された第１コンタクトと、前記衣服側コネクタ本体の前記第１嵌合面に配置されたロック部とを有し、
前記モジュール側コネクタ部は、前記衣服側コネクタ部に嵌合されたときに前記第１嵌合面に対向する第２嵌合面と前記第２嵌合面を囲む側面とを有するモジュール側コネクタ本体と、前記モジュール側コネクタ本体の前記第２嵌合面に配置された第２コンタクトと、前記モジュール側コネクタ本体の前記第２嵌合面に配置された被ロック部とを有し、
前記衣服側コネクタ本体の前記側壁または前記モジュール側コネクタ本体の前記側面のいずれか一方に、弾性変形可能な第１の防水部材が、前記第１嵌合面または前記第２嵌合面を囲むように配置され、
前記ロック部は、前記モジュール側コネクタ本体が所定の向きで前記衣服側コネクタ本体に嵌合された場合にのみ前記被ロック部の位置をロックし、
前記第１コンタクトと前記第２コンタクトとが互いに電気的に接続されて前記モジュール側コネクタ部が前記衣服側コネクタ部に嵌合し、前記衣服側コネクタ本体の前記側壁と前記モジュール側コネクタ本体の前記側面との間で前記第１の防水部材が弾性的に圧縮されて前記第１嵌合面および前記第２嵌合面への水の浸入が防止されることを特徴とするコネクタ。
【請求項２】
前記衣服側コネクタ本体は、前記側壁により囲まれた底面が前記第１嵌合面を形成する凹状のモジュール側コネクタ収容部を有し、
前記モジュール側コネクタ本体は、前記モジュール側コネクタ部が前記衣服側コネクタ部に嵌合されたときに、前記モジュール側コネクタ収容部内に収容され、
前記ロック部は、前記モジュール側コネクタ本体が前記所定の向きで前記モジュール側コネクタ収容部内に収容された場合にのみ前記被ロック部の位置をロックする請求項１に記載のコネクタ。
【請求項３】
前記第１の防水部材は、前記モジュール側コネクタ本体の周を囲むように前記モジュール側コネクタ本体の前記側面に配置されている請求項２に記載のコネクタ。
【請求項４】
前記衣服側コネクタ本体は、
平板形状を有し且つ前記第１嵌合面を形成する第１絶縁部材と、
前記第１絶縁部材に取り付けられ且つ前記第１嵌合面を囲む枠形状の第２絶縁部材と、
前記第１嵌合面を囲むように前記第１絶縁部材と前記第２絶縁部材との間に配置されて前記第１絶縁部材と前記第２絶縁部材との間から前記第１嵌合面への水の浸入を防止する第２の防水部材と
を有する請求項１〜３のいずれか一項に記載のコネクタ。
【請求項５】
前記第１絶縁部材は、前記第２絶縁部材に向けて突出する突起を有し、
前記第１コンタクトは、前記突起の表面上に配置される外部接続部を有するように前記第１絶縁部材に固定され、
前記第２絶縁部材は、前記突起が収容される凹状の突起収容部を有し、
前記衣服に配置される導電シートを前記第１絶縁部材と前記第２絶縁部材との間に挟んだ状態で、前記第１絶縁部材の前記突起を前記第２絶縁部材の前記突起収容部内に嵌め込むことにより、前記導電シートの導電部材は前記第１コンタクトの前記外部接続部に接触して電気的に接続される請求項４に記載のコネクタ。
【請求項６】
前記モジュール側コネクタ本体の前記側面は、前記第２嵌合面に垂直な対称軸に対して回転対称性を有する角を丸めた多角形に沿って延び、
前記被ロック部を含めた前記モジュール側コネクタ本体の外形は、前記対称軸に対して回転対称性を有していない請求項１〜５のいずれか一項に記載のコネクタ。
【請求項７】
前記被ロック部は、前記対称軸から離れた位置に配置され、
前記対称軸を挟んで前記被ロック部と対向する前記モジュール側コネクタ本体の一端部に、前記第２嵌合面が向けられた方向とは反対方向を向いた第２突き当たり面が形成され、
前記衣服側コネクタ本体に、前記第１嵌合面が向けられた方向とは反対方向を向き且つ前記第２突き当たり面に対応する第１突き当たり面が形成され、
前記モジュール側コネクタ部が前記衣服側コネクタ部の前記モジュール側コネクタ収容部内に収容されたときに、前記第２突き当たり面が前記第１突き当たり面に突き当たる請求項６に記載のコネクタ。
【請求項８】
前記モジュール側コネクタ部は、前記第２嵌合面が前記第１嵌合面に対して傾斜し且つ前記第２突き当たり面が前記第１突き当たり面に突き当たるように、前記モジュール側コネクタ本体の前記一端部を前記モジュール側コネクタ収容部に挿入した後、前記モジュール側コネクタ本体の前記一端部とは反対側の他端部を前記第１嵌合面に向けて押し込むことにより、前記モジュール側コネクタ部が前記衣服側コネクタ部に嵌合される請求項７に記載のコネクタ。
【請求項９】
前記第２突き当たり面は、前記第１の防水部材よりも前記第２嵌合面に近い位置に形成されている請求項７または８に記載のコネクタ。
【請求項１０】
前記モジュール側コネクタ部は、前記モジュール側コネクタ本体の前記一端部から前記他端部に向かう方向に沿って前記第２嵌合面に配列された複数の前記第２コンタクトを有し、
前記衣服側コネクタ部は、複数の前記第２コンタクトに対応して前記第１嵌合面に配列された複数の前記第１コンタクトを有する請求項７〜９のいずれか一項に記載のコネクタ。
【請求項１１】
前記第１コンタクトは、バネ性を有しないコンタクトであり、
前記第２コンタクトは、バネ性を有するコンタクトである請求項１〜１０のいずれか一項に記載のコネクタ。
【請求項１２】
前記モジュール側コネクタ部は、前記モジュール側コネクタ本体の前記第２嵌合面とは反対側に配置される基板を有し、
前記第２コンタクトは、一端に配置され且つ前記第１コンタクトに接触する第１コンタクト接触部と、他端に配置され且つ前記基板に接触する基板接触部と、前記第１コンタクト接触部および前記基板接触部の間に配置され且つ前記モジュール側コネクタ本体に固定される固定部とを有する請求項１１に記載のコネクタ。
【請求項１３】
前記モジュール側コネクタ本体は、前記第２嵌合面に開口する凹部を有し、
前記第２コンタクトは、前記第１コンタクト接触部にプリロードがかけられた状態で前記第１コンタクト接触部が前記凹部内に突出するように前記モジュール側コネクタ本体に取り付けられている請求項１２に記載のコネクタ。
【請求項１４】
前記衣服側コネクタ本体は、前記第１嵌合面から突出する凸部を有し、
前記第１コンタクトは、前記凸部の表面上に配置され且つ前記第２コンタクトに接触する第２コンタクト接触部を有し、
前記モジュール側コネクタ部と前記衣服側コネクタ部の嵌合時に、前記衣服側コネクタ本体の前記凸部が前記モジュール側コネクタ本体の前記凹部内に挿入され、前記第２コンタクトの前記第１コンタクト接触部が弾性変位し前記第１コンタクトの前記第２コンタクト接触部に接触する請求項１３に記載のコネクタ。
【請求項１５】
前記ロック部は、前記第１嵌合面から突出する凸状の形状を有し、
前記被ロック部は、前記第２嵌合面から窪む凹状の形状を有し、
前記モジュール側コネクタ部と前記衣服側コネクタ部の嵌合時に、前記ロック部が前記被ロック部内に嵌まり込む請求項１〜１４のいずれか一項に記載のコネクタ。
【請求項１６】
前記ロック部は、前記第１嵌合面と平行な方向に突出するフック部を有し、
前記被ロック部は、前記第２嵌合面と平行な方向に開口するフック受け部を有し、
前記ロック部が前記被ロック部内に嵌まり込むと、前記フック部が前記フック受け部に引っ掛かる請求項１５に記載のコネクタ。
【発明の詳細な説明】
【技術分野】
【０００１】
この発明は、コネクタに係り、特に、ウエアラブルデバイスのモジュールを衣服に装着し電気的に接続するためのコネクタに関する。
【背景技術】
【０００２】
近年、各種センサ、通信装置等の端末機器をユーザの身体に装着した状態で動作させる、いわゆるウエアラブルデバイスが注目を浴びている。このウエアラブルデバイスでは、検出した情報を送出したり、電力の供給を受けるために、例えば、測定装置、電源装置等のデバイスに電気的に接続して使用される。この接続は、衣服に取り付けられたコネクタを介して行うことができるが、ウエアラブルデバイスの着脱時および衣服の洗濯時等には、コネクタによる接続を切り離す必要がある。
このため、例えば、特許文献１に開示されているように、スナップボタン型コネクタを用いてデバイス間の接続が行われている。
【０００３】
特許文献１に開示されたスナップボタン型コネクタは、図４６に示されるように、第１の布１に取り付けられた雄型スナップボタン２と、第２の布３に取り付けられた雌型スナップボタン４を有している。第１の布１および第２の布３は、導電性を有する布から構成され、雄型スナップボタン２および雌型スナップボタン４は、導電性を有する材料から形成されている。雄型スナップボタン２の凸部５が、雌型スナップボタン４の凹部６に挿入されて雌型スナップボタン４の２本の棒状ばね７で押さえられることにより、雄型スナップボタン２と雌型スナップボタン４が互いに電気的に接続され、これら雄型スナップボタン２および雌型スナップボタン４を介して第１の布１と第２の布３が互いに電気的に接続されることとなる。
【０００４】
このようなスナップボタン型コネクタを用いてウエアラブルデバイスの接続を行うことができ、また、ウエアラブルデバイスの着脱時および衣服の洗濯時等には、雄型スナップボタン２を雌型スナップボタン４から取り外してスナップボタン型コネクタによる接続を切り離すことができる。
【先行技術文献】
【特許文献】
【０００５】
【特許文献１】特開２０１５−１３５７２３号公報
【発明の概要】
【発明が解決しようとする課題】
【０００６】
しかしながら、特許文献１のスナップボタン型コネクタは、衣服に取り付けて使用されるコネクタであるにもかかわらず、防水構造を有していないため、雄型スナップボタン２の凸部５と雌型スナップボタン４の凹部６の接点部分に水が浸入するおそれがある。従って、生活環境でのわずかな浸水であっても、水滴が付着することにより接点部分の短絡が生じ、ウエアラブルデバイスを正常に機能させることができなくなるという問題がある。
【０００７】
また、モジュール側コネクタ部を衣服側コネクタ部に嵌め込むことにより、ウエアラブルデバイスのモジュールを衣服に装着し電気的に接続するコネクタにおいて、防水構造を実現しようとすると、モジュール側コネクタ部の本体側面にＯリング等の防水部材を装着して衣服側コネクタ部との間を防水する必要があるが、防水効果を高めるためには、モジュール側コネクタ部の本体の外形形状は、滑らかな対称形状であることが望ましい。
ところが、モジュール側コネクタ部の本体を滑らかな対称形状にすると、モジュール側コネクタ部を正規の向きに対して誤った向きでも衣服側コネクタ部に嵌合することができるようになり、嵌合ミスが生じやすくなる。
【０００８】
この発明は、このような従来の問題点を解消するためになされたもので、優れた防水効果を得ながらも、モジュール側コネクタ部を誤った向きで衣服側コネクタ部に嵌合することを防止することができるコネクタを提供することを目的とする。
【課題を解決するための手段】
【０００９】
この発明に係るコネクタは、ウエアラブルデバイスのモジュールを衣服に装着し電気的に接続するためのコネクタであって、衣服に取り付けられる衣服側コネクタ部と、衣服側コネクタ部に嵌合するモジュール側コネクタ部とを備え、衣服側コネクタ部は、第１嵌合面と第１嵌合面を囲む側壁とを有する衣服側コネクタ本体と、衣服側コネクタ本体の第１嵌合面に配置された第１コンタクトと、衣服側コネクタ本体の第１嵌合面に配置されたロック部とを有し、モジュール側コネクタ部は、衣服側コネクタ部に嵌合されたときに第１嵌合面に対向する第２嵌合面と第２嵌合面を囲む側面とを有するモジュール側コネクタ本体と、モジュール側コネクタ本体の第２嵌合面に配置された第２コンタクトと、モジュール側コネクタ本体の第２嵌合面に配置された被ロック部とを有し、衣服側コネクタ本体の側壁またはモジュール側コネクタ本体の側面のいずれか一方に、弾性変形可能な第１の防水部材が、第１嵌合面または第２嵌合面を囲むように配置され、ロック部は、モジュール側コネクタ本体が所定の向きで衣服側コネクタ本体に嵌合された場合にのみ被ロック部の位置をロックし、モジュール側コネクタ本体が所定の向きでモジュール側コネクタ収容部内に収容されると、第１コンタクトと第２コンタクトとが互いに電気的に接続されてモジュール側コネクタ部が衣服側コネクタ部に嵌合し、衣服側コネクタ本体の側壁とモジュール側コネクタ本体の側面との間で第１の防水部材が弾性的に圧縮されて第１嵌合面および第２嵌合面への水の浸入が防止されるものである。
【００１０】
衣服側コネクタ本体は、側壁により囲まれた底面が第１嵌合面を形成する凹状のモジュール側コネクタ収容部を有し、モジュール側コネクタ本体は、モジュール側コネクタ部が衣服側コネクタ部に嵌合されたときに、モジュール側コネクタ収容部内に収容され、ロック部は、モジュール側コネクタ本体が所定の向きでモジュール側コネクタ収容部内に収容された場合にのみ被ロック部の位置をロックすることが好ましい。
第１の防水部材は、モジュール側コネクタ本体の周を囲むようにモジュール側コネクタ本体の側面に配置されることができる。
衣服側コネクタ本体は、平板形状を有し且つ第１嵌合面を形成する第１絶縁部材と、第１絶縁部材に取り付けられ且つ第１嵌合面を囲む枠形状の第２絶縁部材と、第１嵌合面を囲むように第１絶縁部材と第２絶縁部材との間に配置されて第１絶縁部材と第２絶縁部材との間から第１嵌合面への水の浸入を防止する第２の防水部材とを有することが好ましい。
第１絶縁部材は、第２絶縁部材に向けて突出する突起を有し、第１コンタクトは、突起の表面上に配置される外部接続部を有するように第１絶縁部材に固定され、第２絶縁部材は、突起が収容される凹状の突起収容部を有し、衣服に配置される導電シートを第１絶縁部材と第２絶縁部材との間に挟んだ状態で、第１絶縁部材の突起を第２絶縁部材の突起収容部内に嵌め込むことにより、導電シートの導電部材は第１コンタクトの外部接続部に接触して電気的に接続されるように構成することができる。
【００１１】
モジュール側コネクタ本体の外側面は、第２嵌合面に垂直な対称軸に対して回転対称性を有する角を丸めた多角形に沿って延び、被ロック部を含めたモジュール側コネクタ本体の外形は、対称軸に対して回転対称性を有していないことが好ましい。
この場合、被ロック部は、対称軸から離れた位置に配置され、対称軸を挟んで被ロック部と対向するモジュール側コネクタ本体の一端部に、第２嵌合面が向けられた方向とは反対方向を向いた第２突き当たり面が形成され、衣服側コネクタ本体に、第１嵌合面が向けられた方向とは反対方向を向き且つ第２突き当たり面に対応する第１突き当たり面が形成され、モジュール側コネクタ部が衣服側コネクタ部のモジュール側コネクタ収容部内に収容されたときに、第２突き当たり面が第１突き当たり面に突き当たることが好ましい。
【００１２】
また、モジュール側コネクタ部は、第２嵌合面が第１嵌合面に対して傾斜し且つ第２突き当たり面が第１突き当たり面に突き当たるように、モジュール側コネクタ本体の一端部をモジュール側コネクタ収容部に挿入した後、モジュール側コネクタ本体の一端部とは反対側の他端部を第１嵌合面に向けて押し込むことにより、モジュール側コネクタ部が衣服側コネクタ部に嵌合されることが好ましい。
第２突き当たり面は、第１の防水部材よりも第２嵌合面に近い位置に形成されていることが好ましい。
モジュール側コネクタ部は、モジュール側コネクタ本体の一端部から他端部に向かう方向に沿って第２嵌合面に配列された複数の第２コンタクトを有し、衣服側コネクタ部は、の第２コンタクトに対応して第１嵌合面に配列された複数の第１コンタクトを有するように構成することができる。
【００１３】
第１コンタクトは、バネ性を有しないコンタクトであり、第２コンタクトは、バネ性を有するコンタクトであることが好ましい
モジュール側コネクタ部は、モジュール側コネクタ本体の第２嵌合面とは反対側に配置される基板を有し、第２コンタクトは、一端に配置され且つ第１コンタクトに接触する第１コンタクト接触部と、他端に配置され且つ基板に接触する基板接触部と、第１コンタクト接触部および基板接触部の間に配置され且つ前記モジュール側コネクタ本体に固定される固定部とを有することができる。
モジュール側コネクタ本体は、第２嵌合面に開口する凹部を有し、第２コンタクトは、第１コンタクト接触部にプリロードがかけられた状態で第１コンタクト接触部が凹部内に突出するようにモジュール側コネクタ本体に取り付けられていることが好ましい。
衣服側コネクタ本体は、第１嵌合面から突出する凸部を有し、第１コンタクトは、凸部の表面上に配置され且つ第２コンタクトに接触する第２コンタクト接触部を有し、モジュール側コネクタ部と衣服側コネクタ部の嵌合時に、衣服側コネクタ本体の凸部がモジュール側コネクタ本体の凹部内に挿入され、第２コンタクトの第１コンタクト接触部が弾性変位し第１コンタクトの第２コンタクト接触部に接触するように構成することができる。
【００１４】
ロック部は、第１嵌合面から突出する凸状の形状を有し、被ロック部は、第２嵌合面から窪む凹状の形状を有し、モジュール側コネクタ部と衣服側コネクタ部の嵌合時に、ロック部が被ロック部内に嵌まり込むように構成することができる。
さらに、ロック部は、第１嵌合面と平行な方向に突出するフック部を有し、被ロック部は、第２嵌合面と平行な方向に開口するフック受け部を有し、ロック部が被ロック部内に嵌まり込むと、フック部がフック受け部に引っ掛かることが好ましい。
【発明の効果】
【００１５】
この発明によれば、ロック部は、モジュール側コネクタ本体が所定の向きで衣服側コネクタ本体に嵌合された場合にのみ被ロック部の位置をロックし、衣服側コネクタ本体の第１嵌合面に配置された第１コンタクトとモジュール側コネクタ本体の第２嵌合面に配置された第２コンタクトとが互いに電気的に接続されてモジュール側コネクタ部が衣服側コネクタ部に嵌合し、衣服側コネクタ本体の側壁とモジュール側コネクタ本体の側面との間で第１の防水部材が弾性的に圧縮されて第１嵌合面および第２嵌合面への水の浸入が防止されるので、優れた防水効果を得ながらも、モジュール側コネクタ部を誤った向きで衣服側コネクタ部に嵌合することを防止することが可能となる。
【図面の簡単な説明】
【００１６】
【図１】嵌合時の実施の形態に係るコネクタを示す斜視図である。
【図２】嵌合時の実施の形態に係るコネクタを示す平面図である。
【図３】実施の形態のコネクタに用いられた衣服側コネクタ部とモジュール側コネクタ部を示す斜視図である。
【図４】実施の形態のコネクタにおける衣服側コネクタ部を示す斜視図である。
【図５】実施の形態のコネクタにおける衣服側コネクタ部を示す平面図である。
【図６】実施の形態のコネクタにおける衣服側コネクタ部を斜め上方から見た分解斜視図である。
【図７】実施の形態のコネクタにおける衣服側コネクタ部を斜め下方から見た分解斜視図である。
【図８】衣服側コネクタ部における衣服側コネクタ本体の第１絶縁部材を示す平面図である。
【図９】図８のＡ−Ａ線断面図である。
【図１０】図８のＢ−Ｂ線断面図である。
【図１１】図８のＣ−Ｃ線断面図である。
【図１２】製造時における第１絶縁部材を示す平面図である。
【図１３】衣服側コネクタ部における衣服側コネクタ本体の第２絶縁部材を斜め下方から見た斜視図である。
【図１４】第２絶縁部材上に第２の防水部材を配置した状態を斜め下方から見た斜視図である。
【図１５】第２絶縁部材上に第２の防水部材と導電シートを配置した状態を斜め下方から見た斜視図である。
【図１６】第２絶縁部材上に第１絶縁部材を配置した状態を斜め下方から見た斜視図である。
【図１７】第２絶縁部材に第１絶縁部材を取り付けた状態を斜め下方から見た斜視図である。
【図１８】図５のＤ−Ｄ線断面図である。
【図１９】図１８の要部拡大図である。
【図２０】実施の形態のコネクタにおけるモジュール側コネクタ部を斜め上方から見た斜視図である。
【図２１】実施の形態のコネクタにおけるモジュール側コネクタ部を斜め下方から見た斜視図である。
【図２２】実施の形態のコネクタにおけるモジュール側コネクタ部を示す平面図である。
【図２３】実施の形態のコネクタにおけるモジュール側コネクタ部を示す底面図である。
【図２４】実施の形態のコネクタにおけるモジュール側コネクタ部を示す側面図である。
【図２５】実施の形態のコネクタにおけるモジュール側コネクタ部の分解斜視図である。
【図２６】モジュール側コネクタ部のモジュール側コネクタ本体に複数の第２コンタクトと被ロック部材を位置合わせした状態を示す斜視図である。
【図２７】モジュール側コネクタ部のモジュール側コネクタ本体に複数の第２コンタクトと被ロック部材を圧入した状態を示す斜視図である。
【図２８】第２コンタクトを斜め上方から見た斜視図である。
【図２９】第２コンタクトを他の方向から見た斜視図である。
【図３０】キャリアに接続された複数の第２コンタクトの展開図である。
【図３１】第２コンタクトを示す側面図である。
【図３２】モジュール側コネクタ本体に圧入された第２コンタクトを示す断面図である。
【図３３】モジュール側コネクタ本体に圧入された第２コンタクトを示す平面図である。
【図３４】複数の第２コンタクトと被ロック部材が圧入されたモジュール側コネクタ本体と止水シートと基板を示す斜視図である。
【図３５】図２２のＥ−Ｅ線断面図である。
【図３６】図３５の要部拡大図である。
【図３７】図２２のＦ−Ｆ線断面図である。
【図３８】図２２のＧ−Ｇ線断面図である。
【図３９】衣服側コネクタ部にモジュール側コネクタ部を嵌合する状態を示す斜視図である。
【図４０】衣服側コネクタ部にモジュール側コネクタ部を嵌合する状態を示す断面図である。
【図４１】図２のＨ−Ｈ線断面図である。
【図４２】図２のＪ−Ｊ線断面図である。
【図４３】図４２の要部拡大図である。
【図４４】図２のＫ−Ｋ線断面図である。
【図４５】図４４の要部拡大図である。
【図４６】従来のスナップボタン型コネクタを示す断面図である。
【発明を実施するための形態】
【００１７】
以下、この発明の実施の形態を添付図面に基づいて説明する。
図１および図２に実施の形態に係るコネクタの構成を示す。コネクタは、衣服に取り付けられる衣服側コネクタ部１１と、衣服側コネクタ部１１に嵌合するモジュール側コネクタ部３１を備えている。
図３に示されるように、衣服側コネクタ部１１は、凹状のモジュール側コネクタ収容部１２を有し、モジュール側コネクタ収容部１２の底面からなる第１嵌合面Ｐ１に、複数の第１コンタクト１３が互いに平行な２本の直線に沿って２列に配列されている。また、第１嵌合面Ｐ１には、複数の第１コンタクト１３が形成する２列の間で且つ各列の一端の近傍に凸状のロック部１４が配置されている。
【００１８】
一方、モジュール側コネクタ部３１は、第２嵌合面Ｐ２を有しており、第２嵌合面Ｐ２に、複数の第２コンタクト３３が互いに平行な２本の直線に沿って２列に配列されている。また、第２嵌合面Ｐ２には、複数の第２コンタクト３３が形成する２列の間で且つ各列の一端の近傍に被ロック部３４が配置されている。
モジュール側コネクタ部３１は、第２嵌合面Ｐ２が衣服側コネクタ部１１の第１嵌合面Ｐ１に近接して対向するようにモジュール側コネクタ収容部１２に収容されることで、衣服側コネクタ部１１に嵌合する。
【００１９】
ここで、便宜上、衣服側コネクタ部１１とモジュール側コネクタ部３１の嵌合状態において、各列の複数の第１コンタクト１３および複数の第２コンタクト３３が配列されている方向をＹ方向、第１嵌合面Ｐ１および第２嵌合面Ｐ２に沿い且つＹ方向に垂直な方向をＸ方向、第１嵌合面Ｐ１が向けられている方向を＋Ｚ方向と呼ぶことにする。
衣服側コネクタ部１１のロック部１４は、第１嵌合面Ｐ１の−Ｙ方向端部付近に配置され、モジュール側コネクタ部３１の被ロック部３４は、第２嵌合面Ｐ２の−Ｙ方向端部付近に配置されている。
【００２０】
図４および図５に示されるように、衣服側コネクタ部１１は、凹状のモジュール側コネクタ収容部１２が形成された衣服側コネクタ本体１５を有し、衣服側コネクタ本体１５を導電シート１６に取り付けることで衣服に固定される。
モジュール側コネクタ収容部１２は、第１嵌合面Ｐ１の周囲に沿って立ち上がる側壁１７により形成されており、側壁１７により囲まれた底面が第１嵌合面Ｐ１を形成している。モジュール側コネクタ収容部１２の＋Ｙ方向端部には、モジュール側コネクタ収容部１２内から−Ｚ方向に窪む凹部１８が形成されている。
【００２１】
図６および図７に、衣服側コネクタ部１１の分解斜視図を示す。衣服側コネクタ部１１は、第１絶縁部材１９と第２絶縁部材２０との間に導電シート１６およびシート状防水部材（第２の防水部材）２１を挟んで保持した構造を有している。
第１絶縁部材１９と第２絶縁部材２０は、互いに連結されて衣服側コネクタ本体１５を構成するもので、平板形状の第１絶縁部材１９の表面により第１嵌合面Ｐ１が形成されている。また、枠形状の第２絶縁部材２０は、第１嵌合面Ｐ１を露出させるための開口部２０Ａを有しており、開口部２０Ａの周に沿って側壁１７が形成されている。
第１絶縁部材１９に形成された４つの挿入孔１９Ａに、第２絶縁部材２０に形成された４つのボス２０Ｂを挿入することで、第１絶縁部材１９と第２絶縁部材２０を互いに連結して一体化するように構成されている。
【００２２】
導電シート１６は、図示しない衣服に配置されるものであり、導電シート１６の中央部に形成され且つシート状防水部材２１が収容される開口部１６Ａを有し、また、複数の第１コンタクト１３に対応する複数の導電部材１６Ｂを有している。それぞれの導電部材１６Ｂの一端部は、導電シート１６の開口部１６Ａ内に突出している。
シート状防水部材２１は、導電シート１６の厚さよりもわずかに厚く形成されている枠形状の部材であり、弾性変形可能なゴム等の材料からなり、枠形状の内側に、第１絶縁部材１９の表面により形成された第１嵌合面Ｐ１を露出させる開口部２１Ａが形成されている。この開口部２１Ａは、第２絶縁部材２０の開口部２０Ａとほぼ同じ大きさを有している。また、シート状防水部材２１の外周部には、第２絶縁部材２０の４つのボス２０Ｂに対応する４つの切り欠き２１Ｂが形成されている。
【００２３】
第１絶縁部材１９は、図８および図９に示されるように、第１嵌合面Ｐ１から＋Ｚ方向に突出形成され、互いにＸ方向に対向し、それぞれＹ方向に延びる２つの凸部２２を有している。さらに、第１絶縁部材１９は、これら２つの凸部２２の外側、すなわち、凸部２２よりも第１絶縁部材１９の側縁部に近い箇所に、第１嵌合面Ｐ１から＋Ｚ方向に突出形成され、それぞれ対応する凸部２２に平行にＹ方向に延びる２つの突起２３を有している。
また、第１絶縁部材１９の第１嵌合面Ｐ１のＹ方向端部付近に凹部１８が形成されている。
【００２４】
図９に示されるように、第１コンタクト１３が、凸部２２および突起２３においては、凸部２２および突起２３の表面上に露出し、凸部２２および突起２３以外の箇所では、第１絶縁部材１９の内部に埋め込まれるように第１絶縁部材１９に配置されている。凸部２２の表面上に露出する第１コンタクト１３の部分により、バネ性を有しない第２コンタクト接触部１３Ａが形成され、突起２３の表面上に露出する第１コンタクト１３の部分により、外部接続部１３Ｂが形成されている。
同様にして、それぞれの凸部２２の表面上に、複数の第１コンタクト１３の第２コンタクト接触部１３ＡがＹ方向に配列され、それぞれの突起２３の表面上に、複数の第１コンタクト１３の外部接続部１３ＢがＹ方向に配列されている。
【００２５】
また、第１絶縁部材１９は、２つの凸部２２の−Ｙ方向端部の間に、第１嵌合面Ｐ１から＋Ｚ方向に突出形成され、Ｘ方向に延びる１つの凸部２４を有している。そして、図１０および図１１に示されるように、凸部２４において、凸部２４の表面上に露出し、凸部２４以外の箇所では、第１絶縁部材１９の内部に埋め込まれるように金属部材２５が配置されており、凸部２４と凸部２４の表面上に露出する金属部材２５とによりロック部１４が形成されている。
このような構成の第１絶縁部材１９は、図１２に示されるように、キャリアＣ１に連結された複数の第１コンタクト１３およびキャリアＣ２に連結された金属部材２５を用いてインサート成形することにより、形成することができる。インサート成形後にキャリアＣ１およびＣ２を切除することにより、図８に示した第１絶縁部材１９が得られる。
【００２６】
ここで、衣服側コネクタ部１１の作製方法について説明する。
まず、図１３に示されるように、４つのボス２０Ｂが突出形成されている第２絶縁部材２０の−Ｚ方向側の面が上方を向くように、第２絶縁部材２０を図示しない作業台等の上に配置する。なお、枠形状を有する第２絶縁部材２０の−Ｚ方向側の面には、それぞれＹ方向に延びる２つの凹状の突起収容部２６が形成されている。これらの突起収容部２６は、第１絶縁部材１９の突起２３を収容するためのものである。
また、第２絶縁部材２０の−Ｚ方向側の面には、開口部２０Ａの＋Ｙ方向側の縁部に−Ｚ方向を向いた第１突き当たり面２７が形成されている。この第１突き当たり面２７は、第１絶縁部材１９と第２絶縁部材２０が互いに連結されたときに、第１絶縁部材１９の凹部１８の直上、すなわち、＋Ｚ方向側に位置し、第１嵌合面Ｐ１が向けられる＋Ｚ方向とは反対の−Ｚ方向を向くように構成されている。
【００２７】
次に、図１４に示されるように、第２絶縁部材２０の−Ｚ方向側の面上に、シート状防水部材２１が配置される。このとき、第２絶縁部材２０のボス２０Ｂが、シート状防水部材２１の切り欠き２１Ｂ内に挿入され、シート状防水部材２１の開口部２１Ａが第２絶縁部材２０の開口部２０Ａに重なる。また、第２絶縁部材２０の突起収容部２６および第１突き当たり面２７は、シート状防水部材２１によって覆われることなく、−Ｚ方向に露出している。
【００２８】
さらに、図１５に示されるように、第２絶縁部材２０の−Ｚ方向側の面上に、導電シート１６が配置される。このとき、第２絶縁部材２０の４つのボス２０Ｂおよびシート状防水部材２１は、導電シート１６の開口部１６Ａ内に収容される。また、導電シート１６の開口部１６Ａ内に突出する導電部材１６Ｂの一端部は、＋Ｚ方向に屈曲されて、第２絶縁部材２０の突起収容部２６の中に挿入されている。
【００２９】
この状態で、図１６に示されるように、第１絶縁部材１９がシート状防水部材２１および導電シート１６の上に配置され、Ｚ方向に押し込まれる。シート状防水部材２１は、導電シート１６の厚さよりもわずかに厚く形成されているので、第１絶縁部材１９が−Ｚ方向に押し込まれることで、シート状防水部材２１は、第１絶縁部材１９によりＺ方向に圧縮変形された状態となる。また、第２絶縁部材２０の４つのボス２０Ｂが第１絶縁部材１９の４つの挿入孔１９Ａに挿入されることで、第２絶縁部材２０、シート状防水部材２１および導電シート１６に対する第１絶縁部材１９の位置決めがなされ、第１絶縁部材１９の２つの凸部２２が第２絶縁部材２０の２つの突起収容部２６に挿入される。
さらに、図１７に示されるように、第１絶縁部材１９の挿入孔１９Ａから−Ｚ方向に突出している第２絶縁部材２０のボス２０Ｂの頭部が熱変形等により潰され、これにより、図４および図５に示した衣服側コネクタ部１１の作製が完了する。
【００３０】
図５のＤ−Ｄ線断面図を図１８に示す。第１絶縁部材１９と第２絶縁部材２０との間に、シート状防水部材２１および導電シート１６が挟まれ、シート状防水部材２１がＺ方向に圧縮変形されていることで、第１絶縁部材１９と第２絶縁部材２０との間から第１嵌合面Ｐ１に水が浸入することが防止されている。
第１絶縁部材１９と第２絶縁部材２０とにより、凹状のモジュール側コネクタ収容部１２が形成され、モジュール側コネクタ収容部１２の底面からなる第１嵌合面Ｐ１に、複数の第１コンタクト１３の第２コンタクト接触部１３Ａが位置し、凸部２２の表面上に露出している。
【００３１】
また、図１９に示されるように、衣服Ｆに取り付けられた導電シート１６の導電部材１６Ｂが、第２絶縁部材２０の突起収容部２６内に挿入され、突起収容部２６の内面と、第１絶縁部材１９の突起２３の表面上に配置されている第１コンタクト１３の外部接続部１３Ｂとの間に挟み込まれ、外部接続部１３Ｂに接触している。これにより、第１コンタクト１３が導電シート１６の導電部材１６Ｂに電気的に接続される。
【００３２】
モジュール側コネクタ部３１を図２０に示す。モジュール側コネクタ部３１は、平板形状のモジュール側コネクタ本体３５を有している。モジュール側コネクタ本体３５は、ＸＹ面上においてモジュール側コネクタ本体３５の周を囲む側面３５Ａを有しており、この側面３５Ａに、リング状防水部材（第１の防水部材）３６が配置されている。モジュール側コネクタ本体３５の側面３５Ａは、角を丸めた長方形に沿って延びており、長方形の中心ＣＰを通り且つ第２嵌合面Ｐ２に垂直な対称軸ＳＡに対して回転対称性を有している。
リング状防水部材３６は、弾性変形可能なゴム等の材料から形成されている。また、モジュール側コネクタ本体３５には、＋Ｚ方向側から基板３７が嵌め込まれている。
【００３３】
図２１に示されるように、モジュール側コネクタ本体３５の−Ｚ方向側の表面により第２嵌合面Ｐ２が形成されている。第２嵌合面Ｐ２の＋Ｘ方向端部の近傍および−Ｘ方向端部の近傍に、それぞれ第２嵌合面Ｐ２に開口し且つＹ方向に延びる２つの凹部３８が形成されている。これらの凹部３８は、衣服側コネクタ部１１とモジュール側コネクタ部３１の嵌合時に、衣服側コネクタ部１１の第１絶縁部材１９の凸部２２を収容するためのものであり、それぞれの凹部３８内において、複数の第２コンタクト３３がＹ方向に配列されている。
また、モジュール側コネクタ本体３５には、第２嵌合面Ｐ２の−Ｙ方向端部の近傍に凹部３９が形成されており、凹部３９内に被ロック部３４が配置されている。
上述したように、角を丸めた長方形に沿って延びるモジュール側コネクタ本体３５の側面３５Ａは、対称軸ＳＡに対して回転対称性を有しているが、被ロック部３４は、対称軸ＳＡから−Ｙ方向に離れた位置に配置されており、このため、被ロック部３４を含めたモジュール側コネクタ本体３５の外形は、対称軸ＳＡに対して回転対称性を有していない。
【００３４】
図２２および図２３に示されるように、モジュール側コネクタ本体３５の＋Ｙ方向端部に、＋Ｙ方向に突出する突出部４０が形成されている。
図２４に示されるように、突出部４０により、モジュール側コネクタ本体３５の＋Ｙ方向端部に、＋Ｚ方向を向いた第２突き当たり面４１が形成されている。この第２突き当たり面４１は、リング状防水部材３６よりも−Ｚ方向側、すなわち、リング状防水部材３６よりも第２嵌合面Ｐ２に近い位置に配置されている。
また、モジュール側コネクタ本体３５の側面３５Ａに沿ってモジュール側コネクタ本体３５の周を囲む溝３５Ｂが形成されており、この溝３５Ｂにリング状防水部材３６が配置されているが、リング状防水部材３６の表面は、モジュール側コネクタ本体３５の側面３５ＡよりもＸＹ面において外方に張り出した状態にある。
【００３５】
図２５に、モジュール側コネクタ部３１の分解斜視図を示す。モジュール側コネクタ部３１は、モジュール側コネクタ本体３５に、複数の第２コンタクト３３、被ロック部３４およびリング状防水部材３６を装着すると共に、モジュール側コネクタ本体３５の＋Ｚ方向側にシート状防水部材４２を介して基板３７を取り付けた構造を有している。
【００３６】
モジュール側コネクタ本体３５の＋Ｚ方向側表面の周縁部に、＋Ｚ方向に突出する周壁４３が形成されている。また、周壁４３の内側において、モジュール側コネクタ本体３５の＋Ｚ方向側表面の＋Ｘ方向端部の近傍および−Ｘ方向端部の近傍に、それぞれＹ方向に配列された複数の凹状の第２コンタクト装着部４４が形成されている。これらの第２コンタクト装着部４４は、モジュール側コネクタ本体３５の第２嵌合面Ｐ２に開口する凹部３８に連通している。さらに、モジュール側コネクタ本体３５の＋Ｚ方向側表面の−Ｙ方向端部の近傍に凹状の被ロック部装着部４５が形成されている。被ロック部装着部４５は、モジュール側コネクタ本体３５の第２嵌合面Ｐ２に開口する凹部３９に連通している。
【００３７】
被ロック部３４は、＋Ｚ方向に凹状に窪んだ、概ね箱形状を有するように屈曲された金属部材から形成されており、被ロック部３４のＸ方向の両端部に、それぞれ、Ｘ方向に開口するフック受け部３４Ａを有している。
シート状防水部材４２は、弾性変形可能なゴム等の材料からなり、モジュール側コネクタ本体３５の複数の第２コンタクト装着部４４に対応する複数の開口部４２Ａと、被ロック部装着部４５に対応する１つの開口部４２Ｂを有している。
【００３８】
ここで、モジュール側コネクタ部３１の作製方法について説明する。
まず、図２６に示されるように、キャリアＣ３に連結された複数の第２コンタクト３３をモジュール側コネクタ本体３５の複数の第２コンタクト装着部４４の上方（＋Ｚ方向側）に位置合わせすると共に、金属部材から形成された被ロック部３４をモジュール側コネクタ本体３５の被ロック部装着部４５の上方（＋Ｚ方向側）に位置合わせする。
そして、キャリアＣ３に連結された複数の第２コンタクト３３と被ロック部３４とを、モジュール側コネクタ本体３５に向けて−Ｚ方向に移動させることにより、図２７に示されるように、複数の第２コンタクト３３を複数の第２コンタクト装着部４４に圧入して装着すると共に、被ロック部３４を被ロック部装着部４５に圧入して装着する。
【００３９】
図２８および図２９に示されるように、第２コンタクト３３は、曲げ加工が施された金属板から形成されたバネ性を有するコンタクトであり、一端の近傍に配置され且つＸ方向を向いた第１コンタクト接触部３３Ａと、他端に配置され且つ＋Ｚ方向を向いた基板接触部３３Ｂと、第１コンタクト接触部３３Ａおよび基板接触部３３Ｂの間に配置された固定部３３Ｃを有している。さらに、第２コンタクト３３は、第１コンタクト接触部３３Ａの近傍に配置され且つＹ方向に張り出す張り出し部３３Ｄを有している。
図３０に示されるように、複数の第２コンタクト３３は、それぞれ、固定部３３Ｃに接続された連結バー３３Ｅを介してキャリアＣ３に連結された状態で、曲げ加工が施されることにより、図３１のように作製される。
【００４０】
モジュール側コネクタ本体３５の第２コンタクト装着部４４に装着された第２コンタクト３３を図３２および図３３に示す。第２コンタクト装着部４４は、ＹＺ面に沿って形成され且つ第２コンタクト３３の固定部３３Ｃが圧入される第２コンタクト圧入部４４Ａと、ＹＺ面に沿って形成され且つ第２コンタクト３３の張り出し部３３Ｄに接触して第２コンタクト３３の第１コンタクト接触部３３Ａにプリロードをかけるためのプリロード面４４Ｂと、プリロード面４４Ｂの＋Ｚ方向端部に接続された傾斜面４４Ｃとを有している。
【００４１】
キャリアＣ３に連結された第２コンタクト３３を＋Ｚ方向から−Ｚ方向に移動させて第２コンタクト装着部４４に挿入すると、第２コンタクト３３の固定部３３Ｃが第２コンタクト装着部４４の第２コンタクト圧入部４４Ａに圧入され始めると共に、第２コンタクト３３の張り出し部３３Ｄが、第２コンタクト装着部４４の傾斜面４４Ｃに接触する。この状態で、さらに第２コンタクト３３を−Ｚ方向に移動させると、第２コンタクト３３の張り出し部３３Ｄが第２コンタクト装着部４４の傾斜面４４Ｃに案内されることにより、張り出し部３３Ｄが次第に固定部３３Ｃに近づくように変位する。そして、第２コンタクト３３の張り出し部３３Ｄが第２コンタクト装着部４４のプリロード面４４Ｂに至り、図３２に示されるように、第２コンタクト３３が第２コンタクト装着部４４に装着される。
【００４２】
第２コンタクト３３の張り出し部３３Ｄが第２コンタクト装着部４４のプリロード面４４Ｂに接触することで、第２コンタクト３３の第１コンタクト接触部３３ＡにＸ方向のプリロードがかけられた状態となる。このとき、第２コンタクト３３の第１コンタクト接触部３３Ａは、第２コンタクト装着部４４に連通しているモジュール側コネクタ本体３５の凹部３８内に突出するが、第１コンタクト接触部３３Ａにプリロードがかけられているため、凹部３８内への第１コンタクト接触部３３Ａの突出量は、所定の値に抑えられている。その結果、衣服側コネクタ部１１に対してモジュール側コネクタ部３１を着脱する際等に、モジュール側コネクタ本体３５の第２嵌合面Ｐ２に開口する凹部３８を通して、第２コンタクト３３の第１コンタクト接触部３３Ａにユーザの指等が誤って接触することが防止されている。
【００４３】
なお、第２コンタクト３３は、モジュール側コネクタ本体３５の第２コンタクト装着部４４に直接圧入されることで装着されるので、モジュール側コネクタ本体３５に対する位置ずれの発生が効果的に防止されている。さらに、第２コンタクト装着部４４がプリロード面４４Ｂに接続された傾斜面４４Ｃを有しているため、第２コンタクト３３を＋Ｚ方向から第２コンタクト装着部４４に挿入するだけで、第２コンタクト３３の第１コンタクト接触部３３Ａにプリロードをかけることが可能となる。
【００４４】
このようにして、複数の第２コンタクト３３がモジュール側コネクタ本体３５の複数の第２コンタクト装着部４４に装着されると、それぞれの第２コンタクト３３から連結バー３３Ｅが切り離され、キャリアＣ３が除去される。
その後、図３４に示されるように、モジュール側コネクタ本体３５の周壁４３の内側にシート状防水部材４２を介して基板３７を取り付け、さらに、モジュール側コネクタ本体３５の側面３５Ａにリング状防水部材３６を装着することにより、図２０〜２３に示したモジュール側コネクタ部３１の作製が完了する。
【００４５】
図２２のＥ−Ｅ線断面図を図３５に示す。モジュール側コネクタ本体３５の側面３５Ａの溝３５Ｂにシート状防水部材４２が装着されている。
モジュール側コネクタ本体３５の周壁４３の内側にシート状防水部材４２および基板３７が配置されているが、それぞれの第２コンタクト３３の上部、すなわち、＋Ｚ方向側に、シート状防水部材４２の対応する開口部４２Ａが位置している。
【００４６】
このため、基板３７を、＋Ｚ方向から−Ｚ方向に移動させてモジュール側コネクタ本体３５の周壁４３の内側に配置すると、図３６に示されるように、第２コンタクト３３の基板接触部３３Ｂが、シート状防水部材４２の開口部４２Ａを通して基板３７の−Ｚ方向側の表面に接触し、−Ｚ方向に押し込まれて弾性変位する。これにより、第２コンタクト３３の基板接触部３３Ｂは、基板３７の−Ｚ方向側の表面上に形成されている図示しない接続パッドに電気的に接続されることとなる。
【００４７】
このように、第２コンタクト３３の基板接触部３３Ｂを弾性変位させて基板３７に接触させることにより、ハンダ付け等の実装工程を経ることなく、モジュール側コネクタ部３１を機械的に組み立てるだけで、基板３７に対する第２コンタクト３３の電気的接続を行うことができる。
また、第２コンタクト３３の基板接触部３３Ｂが、第１コンタクト接触部３３Ａの直上、すなわち、＋Ｚ方向側に配置されているので、小さなスペースで第２コンタクト３３を配置することができ、特に、モジュール側コネクタ部３１のＸ方向の幅を小さく抑えることが可能となる。
【００４８】
図２２のＦ−Ｆ線断面図およびＧ−Ｇ線断面図を図３７および図３８に示す。モジュール側コネクタ本体３５の第２嵌合面Ｐ２に開口する凹部３９内に被ロック部３４が配置されている。被ロック部３４は、第２嵌合面Ｐ２から＋Ｚ方向に窪む凹状の形状を有している。
図３８に示されるように、モジュール側コネクタ本体３５の凹部３９内には、モジュール側コネクタ本体３５の一部からなる被ロック部支持部３９Ａおよび３９Ｂが形成されており、被ロック部３４は、これらの被ロック部支持部３９Ａおよび３９Ｂの＋Ｚ方向側に接触するように配置されている。
【００４９】
衣服側コネクタ部１１にモジュール側コネクタ部３１を嵌合する際には、まず、図３９に示されるように、衣服側コネクタ部１１に対してモジュール側コネクタ部３１を傾斜させ、モジュール側コネクタ部３１の＋Ｙ方向端部を衣服側コネクタ部１１のモジュール側コネクタ収容部１２の＋Ｙ方向端部内に挿入する。このとき、図４０に示されるように、モジュール側コネクタ部３１の＋Ｙ方向端部から突出している突出部４０が、衣服側コネクタ部１１のモジュール側コネクタ収容部１２の凹部１８内に挿入され、凹部１８の直上に位置している衣服側コネクタ部１１の第１突き当たり面２７に引っ掛かる。すなわち、突出部４０に形成されている第２突き当たり面４１が、Ｚ方向において、衣服側コネクタ部１１の第１突き当たり面２７に突き当たる。
【００５０】
この状態で、モジュール側コネクタ部３１の−Ｙ方向端部を、衣服側コネクタ部１１のモジュール側コネクタ収容部１２の第１嵌合面Ｐ１に向けて押し込むと、衣服側コネクタ部１１の第１突き当たり面２７に引っ掛かっている突出部４０を中心として、モジュール側コネクタ部３１がＹＺ面に沿って回転し、図４１に示されるように、モジュール側コネクタ部３１のモジュール側コネクタ本体３５が、衣服側コネクタ部１１のモジュール側コネクタ収容部１２内に収容される。これにより、モジュール側コネクタ部３１が衣服側コネクタ部１１に嵌合され、衣服側コネクタ部１１の第１嵌合面Ｐ１とモジュール側コネクタ部３１の第２嵌合面Ｐ２とが、互いに接触、あるいは、互いに平行に対向する。
【００５１】
モジュール側コネクタ部３１が衣服側コネクタ部１１に嵌合されることで、図４２に示されるように、衣服側コネクタ部１１の第１コンタクト１３とモジュール側コネクタ部３１の第２コンタクト３３とが、互いに接触して、電気的に接続された状態となる。
このとき、図４３に示されるように、衣服側コネクタ部１１の第１嵌合面Ｐ１から＋Ｚ方向に突出形成されている凸部２２が、モジュール側コネクタ部３１の第２嵌合面Ｐ２に開口している凹部３８内に挿入され、凹部３８内に突出している第２コンタクト３３の第１コンタクト接触部３３Ａが、凸部２２の表面上に配置されている第１コンタクト１３の第２コンタクト接触部１３Ａに押されて弾性変位し、所定の接触圧で第２コンタクト接触部１３Ａに接触する。
【００５２】
また、モジュール側コネクタ部３１のモジュール側コネクタ本体３５が、衣服側コネクタ部１１のモジュール側コネクタ収容部１２内に収容されることで、図４４に示されるように、衣服側コネクタ部１１の第１嵌合面Ｐ１から＋Ｚ方向に突出する凸状のロック部１４が、モジュール側コネクタ部３１の第２嵌合面Ｐ２から＋Ｚ方向に窪んだ凹状の被ロック部３４内に嵌まり込む。
このとき、図４５に示されるように、ロック部１４のＸ方向の両端部からそれぞれＸ方向に突出しているフック部１４Ａが、被ロック部３４のＸ方向の両端部に形成され且つそれぞれＸ方向に開口するフック受け部３４Ａに引っ掛かり、これにより、衣服側コネクタ部１１とモジュール側コネクタ部３１の嵌合状態がロックされる。なお、被ロック部３４は、モジュール側コネクタ本体３５の被ロック部支持部３９Ｂの＋Ｚ方向側に接触するように配置されているので、嵌合状態にあるモジュール側コネクタ部３１を衣服側コネクタ部１１から＋Ｚ方向に引き抜く際に、被ロック部３４がロック部１４により引っ張られて変形することが防止されている。
【００５３】
このようにして、モジュール側コネクタ部３１が衣服側コネクタ部１１に嵌合されると、モジュール側コネクタ部３１のリング状防水部材３６が、モジュール側コネクタ本体３５の側面３５Ａと衣服側コネクタ部１１のモジュール側コネクタ収容部１２の側壁１７との間で弾性的に圧縮され、第１嵌合面Ｐ１および第２嵌合面Ｐ２への水の浸入が防止される。
このとき、リング状防水部材３６は、対称軸ＳＡに対して回転対称性を有し且つ角を丸めた長方形に沿ったモジュール側コネクタ本体３５の側面３５Ａに装着されているので、水の浸入を効果的に防止することができる。
【００５４】
また、モジュール側コネクタ本体３５の側面３５Ａが対称軸ＳＡに対して回転対称性を有していても、凹状の被ロック部３４を含めたモジュール側コネクタ本体３５の外形は、対称軸ＳＡに対して回転対称性を有していない。このため、仮に、図３９および図４０において、モジュール側コネクタ部３１を反対向き、すなわち、突出部４０が−Ｙ方向端部に位置するような向きにして、衣服側コネクタ部１１のモジュール側コネクタ収容部１２内に収容しようとしても、衣服側コネクタ部１１のロック部１４とモジュール側コネクタ部３１の被ロック部３４に位置が合わず、モジュール側コネクタ部３１を衣服側コネクタ部１１に嵌合させることができない。
このように、優れた防水効果を得ながらも、モジュール側コネクタ部３１を誤った向きで衣服側コネクタ部１１に嵌合することを防止することが可能となる。
【００５５】
なお、上述したように、モジュール側コネクタ部３１が、衣服側コネクタ部１１の第１突き当たり面２７に引っ掛かっている突出部４０を中心として、ＹＺ面に沿って回転しながら衣服側コネクタ部１１に嵌合するので、Ｙ方向に配列しているモジュール側コネクタ部３１の複数の第２コンタクト３３は、Ｙ方向に配列している衣服側コネクタ部１１の複数の第１コンタクト１３に同時に接続されるのではなく、順次１つの第２コンタクト３３と１つの第１コンタクト１３とが接触して電気的に接続されることとなる。このため、衣服側コネクタ部１１とモジュール側コネクタ部３１とを互いに平行に位置させたまま複数の第１コンタクト１３と複数の第２コンタクト３３を同時に接続させる場合に比べて、小さな力でモジュール側コネクタ部３１を衣服側コネクタ部１１に嵌合させることができる。
【００５６】
また、ロック部１４および被ロック部３４は、衣服側コネクタ部１１およびモジュール側コネクタ部３１のＹ方向の両端部にそれぞれ配置されることなく、衣服側コネクタ部１１およびモジュール側コネクタ部３１の−Ｙ方向端部付近のみに配置されている。しかしながら、衣服側コネクタ部１１およびモジュール側コネクタ部３１の＋Ｙ方向端部付近においては、衣服側コネクタ部１１の第１突き当たり面２７とモジュール側コネクタ部３１の第２突き当たり面４１とが互いにＺ方向に突き当たっているため、１組のロック部１４および被ロック部３４のみにより、衣服側コネクタ部１１とモジュール側コネクタ部３１の嵌合状態を十分にロックすることが可能となる。
したがって、衣服側コネクタ部１１およびモジュール側コネクタ部３１のＹ方向の両端部付近に２組のロック部１４および被ロック部３４を配置する場合に比べ、部品点数を削減して低コストでロック機構を構成することができる。
【００５７】
上記の実施の形態においては、モジュール側コネクタ本体３５の周壁４３の内側に取り付けられた基板３７が露出しているが、モジュール側コネクタ部３１は、モジュール側コネクタ本体３５の＋Ｚ方向側に基板３７を覆う図示しないカバー部材を有することが望ましい。この場合、さらに、嵌合状態にあるモジュール側コネクタ部３１を衣服側コネクタ部１１から＋Ｚ方向に引き抜くための取っ手をカバー部材に形成することもできる。
【００５８】
なお、上記の実施の形態においては、モジュール側コネクタ本体３５を、衣服側コネクタ本体１５の凹状のモジュール側コネクタ収容部１２に収容して嵌合させているが、反対に、モジュール側コネクタ本体に凹状の衣服側コネクタ収容部を設け、衣服側コネクタ本体をモジュール側コネクタ本体の衣服側コネクタ収容部に収容して嵌合させることもできる。
また、モジュール側コネクタ本体３５の周を囲む側面３５Ａにリング状防水部材（第１の防水部材）３６を配置しているが、リング状防水部材（第１の防水部材）３６は、衣服側コネクタ本体１５の側壁１７に配置してもよい。
また、衣服側コネクタ部１１の第１嵌合面Ｐ１に、複数の第１コンタクト１３が互いに平行な２本の直線に沿って２列に配列され、モジュール側コネクタ部３１の第２嵌合面Ｐ２に、複数の第２コンタクト３３が互いに平行な２本の直線に沿って２列に配列されているが、これに限るものではなく、複数の第１コンタクト１３と複数の第２コンタクト３３が、それぞれ１列あるいは３列以上に配列されていてもよい。また、この発明は、第１嵌合面Ｐ１に配置された少なくとも１つの第１コンタクト１３と第２嵌合面Ｐ２に配置された少なくとも１つの第２コンタクト３３を有していればよく、第１コンタクト１３および第２コンタクト３３は、図示された個数に限定されるものではない。
また、モジュール側コネクタ本体３５の側面３５Ａは、角を丸めた長方形に沿って延び、対称軸ＳＡに対して回転対称性を有しているが、長方形以外の角を丸めた多角形に沿って延びて、対称軸ＳＡに対する回転対称性を有していてもよい。
【符号の説明】
【００５９】
１  第１の布、２  雄型スナップボタン、３  第２の布、４  雌型スナップボタン、５  凸部、６  凹部、７  棒状ばね、１１  衣服側コネクタ部、１２  モジュール側コネクタ収容部、１３  第１コンタクト、１３Ａ  第２コンタクト接触部、１３Ｂ  外部接続部、１４  ロック部、１４Ａ  フック部、１５  衣服側コネクタ本体、１６  導電シート、１６Ａ  開口部、１６Ｂ  導電部材、１７  側壁、１８  凹部、１９  第１絶縁部材、１９Ａ  挿入孔、２０  第２絶縁部材、２０Ａ  開口部、２０Ｂ  ボス、２１  シート状防水部材（第２の防水部材）、２１Ａ  開口部、２１Ｂ  切り欠き、２２  凸部、２３  突起、２４  凸部、２５  金属部材、２６  突起収容部、２７  第１突き当たり面、３１  モジュール側コネクタ部、３３  第２コンタクト、３３Ａ  第１コンタクト接触部、３３Ｂ  基板接触部、３３Ｃ  固定部、３３Ｄ  張り出し部、３３Ｅ  連結バー、３４  被ロック部、３４Ａ  フック受け部、３５  モジュール側コネクタ本体、３５Ａ  側面、３５Ｂ  溝、３６  リング状防水部材（第１の防水部材）、３７  基板、３８，３９  凹部、３９Ａ，３９Ｂ  被ロック部支持部、４０  突出部、４１  第２突き当たり面、４２  シート状防水部材、４２Ａ，４２Ｂ  開口部、４３  周壁、４４  第２コンタクト装着部、４４Ａ  第２コンタクト圧入部、４４Ｂ  プリロード面、４４Ｃ  傾斜面、４５  被ロック部装着部、Ｐ１  第１嵌合面、Ｐ２  第２嵌合面、Ｃ１，Ｃ２，Ｃ３  キャリア、Ｆ  衣服、ＣＰ  中心、ＳＡ  対称軸。
【図１】
2019087515.tif 000003
【図２】
2019087515.tif 000004
【図３】
2019087515.tif 000005
【図４】
2019087515.tif 000006
【図５】
2019087515.tif 000007
【図６】
2019087515.tif 000008
【図７】
2019087515.tif 000009
【図８】
2019087515.tif 000010
【図９】
2019087515.tif 000011
【図１０】
2019087515.tif 000012
【図１１】
2019087515.tif 000013
【図１２】
2019087515.tif 000014
【図１３】
2019087515.tif 000015
【図１４】
2019087515.tif 000016
【図１５】
2019087515.tif 000017
【図１６】
2019087515.tif 000018
【図１７】
2019087515.tif 000019
【図１８】
2019087515.tif 000020
【図１９】
2019087515.tif 000021
【図２０】
2019087515.tif 000022
【図２１】
2019087515.tif 000023
【図２２】
2019087515.tif 000024
【図２３】
2019087515.tif 000025
【図２４】
2019087515.tif 000026
【図２５】
2019087515.tif 000027
【図２６】
2019087515.tif 000028
【図２７】
2019087515.tif 000029
【図２８】
2019087515.tif 000030
【図２９】
2019087515.tif 000031
【図３０】
2019087515.tif 000032
【図３１】
2019087515.tif 000033
【図３２】
2019087515.tif 000034
【図３３】
2019087515.tif 000035
【図３４】
2019087515.tif 000036
【図３５】
2019087515.tif 000037
【図３６】
2019087515.tif 000038
【図３７】
2019087515.tif 000039
【図３８】
2019087515.tif 000040
【図３９】
2019087515.tif 000041
【図４０】
2019087515.tif 000042
【図４１】
2019087515.tif 000043
【図４２】
2019087515.tif 000044
【図４３】
2019087515.tif 000045
【図４４】
2019087515.tif 000046
【図４５】
2019087515.tif 000047
【図４６】
2019087515.tif 000048